(57)【要約】【課題】櫛を所望角度に回動させて頭髪への塗布を行なうことを実現する。【解決手段】スクイズ性を有する容器本体２の口筒部３に組付く組付き筒５の頂壁６上に、開口した中空部８を有する起立部７を立設したキャップ本体５ａと、起立部７を覆うように回動可能に組み付くカバー部１５を有し、カバー部１５の頂板１４の上には、上端部に注出孔２３を設け、中空部８に連通する注出路２４を貫設した櫛歯片２２を起立設した櫛歯体１３とから構成され、前記起立部７の外側側面７ａには、軸片１１を突設し、かつ該軸片１１を中心にして放射状にストッパ１２を突設し、前記カバー部１５の側壁１７には、櫛歯片２２を傾動可能とする変位手段１９を設け、カバー部１５の側壁１７には、軸片１１に挿着する軸孔１８を設けると共に、ストッパ１２が係合する凹溝２０を設けた。【選択図】        図１
2004321708.tif 000002
【特許請求の範囲】
【請求項１】
スクイズ性を有する容器本体（２）の口筒部（３）に密に組付く組付き筒（５）の内鍔状の頂壁（６）上に、上方を開口した中空部（８）を有するとともに端部を有する起立部（７）を立設したキャップ本体（５ａ）と、該起立部（７）を覆うように密に回動可能に組み付くカバー部（１５）を有し、該カバー部（１５）の頂板（１４）の上には、上端部に左右方向に開口した注出孔（２３）を設けると共に、注出孔（２３）から中空部（８）に連通する注出路（２４）を貫設した複数の櫛歯片（２２）を起立設した櫛歯体（１３）とから構成され、
前記起立部（７）の左右外側側面（７ａ）には、中心位置に軸片（１１）を突設し、かつ該軸片（１１）を中心にして放射状にストッパ（１２）を突設し、
前記カバー部（１５）の左右側壁（１７）には、該左右側壁（１７）の直上に位置する櫛歯片（２２）を左右から押圧した時、上端を支点として傾動可能とする変位手段（１９）を設け、該カバー部（１５）の左右側壁（１７）の内側面には、軸片（１１）に挿着する軸孔（１８）を設けると共に、ストッパ（１２）が係合する凹溝（２０）を設けて成る櫛付きキャップ。
【請求項２】
櫛歯体（１３）の直立姿勢を保持する第１の凹溝（２０ａ）、回動停止姿勢を保持する第２の凹溝（２０ｂ）をそれぞれ設けてなる請求項１記載の櫛付きキャップ。
【請求項３】
変位手段（１９）を、左右側壁（１７）の両側で上端から下端までに一対のスリットを形成してなる請求項１記載の櫛付きキャップ。
【請求項４】
変位手段（１９）を、左右側壁（１７）の両側で上端から下端までに縦溝状の薄肉部を形成してなる請求項１記載の櫛付きキャップ。
【発明の詳細な説明】
【０００１】
【発明の属する技術分野】
本発明は、容器本体に収納された白髪染め液やヘアマニキュア、整髪料等の内容液を、容器本体から頭髪に直接塗布可能で、かつ櫛を所望角度に回動させて使用できるように構成した櫛付きキャップに関する。
【０００２】
【従来の技術】
スクイズ性を有する容器本体にキャップとして組付けられ、容器本体の白髪染め液やヘアマニキュア等の内容液を直接頭髪に塗布することができる様にした櫛付きキャップとして、出願人の特開２００２−２２３８４１号公報がある。
この従来技術は、櫛歯体の櫛歯片は容器本体に直立姿勢に有るため、櫛歯片を頭髪の生え際側にして頭髪を梳いている。
【０００３】
【特許文献１】
特開２００２−２２３８４１号公報
【０００４】
【発明が解決しようとする課題】
上記従来技術にあっては、櫛歯片は容器本体に直立姿勢であるため、塗布作業を容易にするために回動可能な櫛歯片を有する櫛付きキャップが要請されている。
そこで、本発明は、上記課題に鑑みて創案されたもので、櫛を所望角度に回動させて頭髪への塗布を行なうことが可能な櫛付きキャップの提供を目的としている。
【０００５】
【課題を解決するための手段】
上記技術的課題を解決する本発明の手段として、請求項１の発明に係る櫛付きキャップは、
スクイズ性を有する容器本体２の口筒部３に密に組付く組付き筒５の内鍔状の頂壁６上に、上方を開口した中空部８を有するとともに端部を有する起立部７を立設したキャップ本体５ａと、該起立部７を覆うように密に回動可能に組み付くカバー部１５を有し、該カバー部１５の頂板１４の上には、上端部に左右方向に開口した注出孔２３を設けると共に、注出孔２３から中空部８に連通する注出路２４を貫設した複数の櫛歯片２２を起立設した櫛歯体１３とから構成され、
前記起立部７の左右外側側面７ａには、中心位置に軸片１１を突設し、かつ該軸片１１を中心にして放射状にストッパ１２を突設し、
前記カバー部１５の左右側壁１７には、該左右側壁１７の直上に位置する櫛歯片２２を左右から押圧した時、上端を支点として傾動可能とする変位手段１９を設け、該カバー部１５の左右側壁１７の内側面には、軸片１１に挿着する軸孔１８を設けると共に、ストッパ１２が係合する凹溝２０を設けて成るものである。
【０００６】
請求項２の発明は、櫛歯体１３の直立姿勢を保持する第１の凹溝２０ａ、回動停止姿勢を保持する第２の凹溝２０ｂをそれぞれ設けてなる。
【０００７】
請求項３の発明は、変位手段１９を、左右側壁１７の両側で上端から下端までに一対のスリットを形成してなる。
【０００８】
請求項４の発明は、変位手段１９を、左右側壁１７の両側で上端から下端までに縦溝状の薄肉部を形成してなる。
【０００９】
【発明の実施の形態】
本発明の一実施態様を、図１〜図５を参照して説明する。
本発明に係る櫛付きキャップ１は、キャップ本体５ａと櫛歯体１３とから構成されていて、キャップ本体５ａは、スクイズ性を有する胴部４を備えた容器本体２の口筒部３に密に組付く組付き筒５を下部に有するものであり、該組付き筒５の上端には内鍔状の頂壁６が設けられている。また、頂壁６の内面にはシール筒片９を垂下設し、シール性の向上を図っている。さらに、容器本体２の頂壁６上には、上方を開口した中空部８を有するとともに端部を有する横倒し円筒状の起立部７が立設され、該中空部８と組付き筒５内部とは連通孔１０により連通されている。
【００１０】
また、櫛歯体１３は、該起立部７を覆うように密に回動可能に組み付く有頂中空長方体状のカバー部１５を有し、該カバー部１５の頂板１４の上には、複数の櫛歯片２２が千鳥足状に起立設され、櫛歯片２２の上端部左右方向に開口した注出孔２３を設けると共に、注出孔２３から中空部８に連通する注出路２４を貫設されている。なお、この複数の櫛歯片２２の配列は、千鳥足状に起立設されるものに限定されないものである。
【００１１】
さらに、前記起立部７の左右外側側面７ａには、中心位置に軸片１１を突設し、また該軸片１１を中心にして、放射状にストッパ１２が突設されている。
【００１２】
また、前記カバー部１５の左右側壁１７には、該左右側壁１７の直上に位置する櫛歯片２２を左右から押圧した時、上端を支点として傾動可能とする変位手段１９が設けられ、該カバー部１５の左右側壁１７の内側面には、軸片１１に挿着する軸孔１８を設けると共に、ストッパ１２が係合する複数の凹溝２０が設けられている。
【００１３】
前記軸孔１８及び凹溝２０は、キャップ本体５の起立部７の左右外側側面７ａに設け、これに対応する軸片１１及びストッパ１２をカバー部１５の左右側壁１７の内側面に設けてもよい。
【００１４】
また、カバー部１５の前後側壁の下端部が起立部７に当って回動が阻止されるのを防止するため切欠部１６が設けられている。
【００１５】
前記カバー部１５の左右側壁１７の内側面には、図１、図３のように、櫛歯体１３の直立姿勢を保持する第１の凹溝２０ａが設けられ、また回動停止姿勢を保持する第２の凹溝２０ｂが設けられている。
【００１６】
また、櫛歯片２２は、上端部を山形に形成し、頭髪に対する櫛の通りを良くするようにしてもよい。
【００１７】
さらに、カバー部１５の頂板１４上には、図１、図２のように、注出孔２３が左右に同一直線上に位置する櫛歯片２２を複数起立設されている。
【００１８】
また、図１、図４のように、櫛歯片２２の梳き方向の端部に欠け部２５を設け、等間隔で千鳥足状に複数起立設されている。なお、櫛歯片２２は千鳥足状に配列されるには限られないものである。
【００１９】
変位手段１９は、図１、図３のように、左右側壁１７の両側で上端から下端までに一対のスリットを形成してもよく、又左右側壁１７の両側で上端から下端までに縦溝状の薄肉部を形成してもよい。
【００２０】
頂板１４の左右両端の櫛歯片は、図１、図２、図５のように、注出孔２３及び注出路２４を開設しないで、注出孔２３と左右に同一直線上に横孔２６を設けた枠櫛歯片２１としてもよい。
【００２１】
本発明の櫛歯体１３は、頭髪を梳く際に、頭髪が櫛歯体１３の各部分に引っ掛けたり、頭髪を損傷することを防止するため、櫛歯片２２、カバー部１５等櫛歯体１３の各表面部分は円滑な曲面に形成されている。
【００２２】
【発明の効果】
上述した構成の本発明によれば、以下の効果を奏する。
請求項１の発明によれば、櫛歯体は所望の傾斜姿勢角度に回動できるため、塗布箇所に対応して頭髪に対する内容液の塗布が十分にかつ効率良く行なうことができ、かつ内容物の塗布作業がスムーズに、かつ効率よくできる。
【００２３】
また、左右両端の櫛歯片上部を手で内側に押圧すると同時に左右側壁は上端を支点として変位させてストッパと複数の凹溝との係脱を容易に行なうことができ、櫛歯体を所望角度へ切換えするのが容易である。
【００２４】
さらに、櫛歯片は千鳥足状に配列して起立設されているため、頭髪に対する櫛の通りを良くすることができる。
【００２５】
また、櫛歯体のカバー部は起立部に密に組み付く構造としているため、シール性の向上を図ることができる。
【００２６】
請求項２によれば、櫛歯体は直立姿勢、回動停止姿勢の各姿勢への切換えが確実にできる。
【００２７】
請求項３の発明により、左右両端の櫛歯片を押圧した時に、起立部の左右側壁は上端を支点として傾動できる変位手段としたため、変位手段を簡単に構成できる。
【００２８】
請求項４の発明により、請求項３の発明と同様に、左右両端の櫛歯片を押圧した時に、起立部の左右側壁は上端を支点として傾動できる変位手段としたため、変位手段を簡単に構成できる。
【図面の簡単な説明】
【図１】本発明の第一実施例の、容器本体に組付けた状態での櫛付きキャップの全体斜視図。
【図２】本発明の第一実施例の、容器本体に組付けた状態での櫛付きキャップの平面図。
【図３】本発明の第一実施例の、櫛付きキャップのＡ矢視図。
【図４】本発明の第一実施例の、櫛付きキャップのＢ―Ｂ半断面図。
【図５】本発明の第一実施例の、櫛付きキャップのＣ―Ｃ半断面図。
【符号の説明】
１  櫛付きキャップ
２  容器本体
３  口筒部
４  胴部
５  組付き筒
５ａ  キャップ本体
６  頂壁
７  起立部
７ａ  外側側面
８  中空部
９  シール筒片
１０  連通孔
１１  軸片
１２  ストッパ
１３  櫛歯体
１４  頂板
１５  カバー部
１６  切欠部
１７  側壁
１８  軸孔
１９  スリット
２０  凹溝
２０ａ第１の凹溝
２０ｂ第２の凹溝
２１  枠櫛歯片
２２  櫛歯片
２３  注出孔
２４  注出路
２５  欠け部
【図１】
2004321708.tif 000003
【図２】
2004321708.tif 000004
【図３】
2004321708.tif 000005
【図４】
2004321708.tif 000006
【図５】
2004321708.tif 000007